(57)【要約】【課題】  診療行為内容について適切な説明を提示するとともに、その診療行為内容について患者から同意を記録する。【解決手段】  診療支援装置１００を、入力装置３００から入力された診療行為コードをキーとして、診療行為ＤＢ４０７から、診療行為名称および診療行為内容を検索する診療行為検索モジュール１１１と、検索した診療行為名称または診療行為内容をキーとして、点数ＤＢ５０２から、診療行為の点数を検索する診療点数検索モジュール１１２と、表示装置２００に検索した診療行為名称、診療行為内容および診療行為の点数を含む診療情報を表示するとともに、患者のパスワード入力および表示した診療情報について患者の同意の入力を促す画面を表示する表示モジュール１１４と、患者のパスワードによる認証後、患者が同意した診療情報を行為履歴ＤＢ４０９に記録する同意取得モジュール１１６とを備える構成とした。【選択図】  図１
2006221302.tif 000002
【特許請求の範囲】
【請求項１】
診療行為に関する診療情報を表示装置に表示するとともに、前記表示した診療情報について、患者の同意を記録する診療支援装置であって、
入力装置から入力された診療行為コードをキーとして、診療行為コードごとに診療行為名称および診療行為内容を記録した診療行為データベースから、診療行為名称および診療行為内容を検索する診療行為検索部と、
前記診療行為名称または診療行為内容ごとにこの診療行為の費用である点数を記録した点数データベースから、前記検索した診療行為名称または診療行為内容をキーとして、前記診療行為の点数を検索する診療点数検索部と、
前記表示装置に、前記検索した診療行為名称、診療行為内容および前記診療行為の点数を含む診療情報を表示するとともに、前記表示した診療情報について、前記患者のパスワード入力および前記患者の同意の入力を促す画面を表示する表示部と、
前記入力装置から入力された前記患者のパスワードに基づき認証を行うとともに、前記患者のＩＤごとに、前記患者の診療履歴を示した行為履歴データベースに前記診療情報の同意の情報および前記患者が同意した診療行為の診療行為コードを記録する同意取得部と、
を備えることを特徴とする診療支援装置。
【請求項２】
前記診療行為データベースは、前記診療行為コードごとに、診療行為名称、診療行為内容および前記診療行為の代替診療行為をさらに記憶し、
前記診療行為データベースから、前記診療行為名称または診療行為内容をキーとして、前記診療行為の代替診療行為名称または代替診療行為内容を検索する代替診療行為検索部をさらに備え、
前記診療点数検索部は、前記検索した代替診療行為名称または代替診療行為内容をキーとして、前記点数データベースから、前記代替診療行為の点数をさらに検索し、
前記表示部は、前記検索した代替診療行為名称、代替診療行為内容および前記代替診療行為の点数をさらに含む診療情報を表示することを特徴とする請求項１に記載の診療支援装置。
【請求項３】
前記行為履歴データベースから、前記患者のＩＤをキーとして前記患者の診療履歴を検索する履歴検索部をさらに備え、
前記表示部が表示する診療情報は、前記検索した診療履歴に示される診療行為を含むことを特徴とする請求項１または請求項２に記載の診療支援装置。
【請求項４】
前記表示部が表示する診療情報は、前記検索した診療履歴に示される診療行為およびこの診療行為の同意の情報を含むことを特徴とする請求項３に記載の診療支援装置。
【請求項５】
診療行為に関する診療情報を表示装置に表示するとともに、前記表示した診療情報について、患者の同意を記録する診療支援方法であって、
コンピュータが、
診療行為コードごとに診療行為名称および診療行為内容を記憶した診療行為データベースから、入力装置から入力された診療行為コードをキーとして、診療行為名称および診療行為内容を検索するステップと、
前記診療行為名称または診療行為内容ごとにこの診療行為の費用である点数を記憶した点数データベースから、前記検索した診療行為名称または診療行為内容をキーとして、前記診療行為の点数を検索するステップと、
前記表示装置に、前記検索した診療行為名称、診療行為内容および前記診療行為の点数を含む診療情報を表示するとともに、前記患者のパスワード入力および前記表示した診療情報について前記患者の同意の入力を促す画面を表示するステップと、
前記入力装置から入力された前記患者のパスワードに基づき認証を行うステップと、
前記患者のＩＤごとに、前記患者の診療履歴を示した行為履歴データベースに前記診療情報の同意の情報および前記患者が同意した診療行為の診療行為コードを記録するステップと、
を実行することを特徴とする診療支援方法。
【請求項６】
請求項５に記載の診療支援方法をコンピュータに実行させることを特徴とする診療支援プログラム。
【発明の詳細な説明】
【技術分野】
【０００１】
本発明は、診療支援装置、診療支援方法および診療支援プログラムに関する。
【背景技術】
【０００２】
病院において、電子カルテをはじめとして、診療の指示・実施記録が電子化されており、医師・看護師による診療指示用の紙伝票や実施記録等が電子媒体となり、システム内に格納されることとなっている。これにより、医師が診療を行う際には診療支援システムが必須となっている。医師は、診療支援システム上で診療行為を入力・選択し、確認後決定ボタンを押すことで診療行為を決定している。
【０００３】
一方、近年、患者に対して診療行為について充分な説明を行い、患者の同意を得た上で診療を行うこと、いわゆるインフォームドコンセントが重要視されている。診療支援システムにおいてインフォームドコンセントを意識したシステムとしては、特許文献１に示すシステムが提案されている。
【０００４】
このシステムは、医療行為指針データベースを設け、このデータベースから患者個人の医療情報を考慮して患者に合った適切な医療行為を検索するものである。また、このシステムは、インフォームドコンセントデータベースを設けており、このデータベースから患者説明情報を取得することで、患者に行う診療行為の説明を支援している。
【特許文献１】特開２００１−２７３３６２号公報
【発明の開示】
【発明が解決しようとする課題】
【０００５】
しかし、従来のシステムには次のような問題点がある。まず、インフォームドコンセントデータベースから情報を取得する手段として医師によるキーワード入力が想定されており、必ずしも診療行為内容について適切な説明が得られないという問題点がある。つまり、診療行為内容について適切な説明を検索できるか否かは、キーワード入力をする医師のスキルに依存するという問題点がある。
【０００６】
また、従来のシステムにおいてインフォームドコンセントデータベース（データベース）から得られる診療費（点数）は一般的なものであり、実際の診療行為の実費とは必ずしも一致しないという問題点がある。つまり、実際にはデータベースから得られた診療費以上の費用が発生することがある。したがって、データベースから得られた診療費に承認することで費用の同意を得たとすると、トラブルの原因となる恐れがあった。
【０００７】
さらに、従来のシステムでは、インフォームドコンセントデータベースから検索された診療行為に基づいて、診療を行った場合、この診療について患者の同意を得たという証拠を残す機能が無いため、これもトラブルの原因となる恐れがあった。
【０００８】
本発明は、前記した問題を解決し、患者に対して実際の診療行為と合った説明情報および費用情報、代替診療行為情報を開示するとともに、この情報に対する患者の同意の証拠を残す機能を備えた診療支援システムを提供することを課題とする。
【課題を解決するための手段】
【０００９】
前記した課題を解決するため、本発明は、診療行為に関する診療情報を表示装置に表示するとともに、表示した診療情報について、患者の同意を記録する診療支援装置を、入力装置から入力された診療行為コードをキーとして、診療行為コードごとに診療行為名称および診療行為内容を記録した診療行為データベースから、診療行為名称および診療行為内容を検索する診療行為検索部と、診療行為名称または診療行為内容ごとにこの診療行為の費用である点数を記録した点数データベースから、検索した診療行為名称または診療行為内容をキーとして、診療行為の点数を検索する診療点数検索部と、表示装置に、検索した診療行為名称、診療行為内容および診療行為の点数を含む診療情報を表示するとともに、表示した診療情報について、患者のパスワード入力および患者の同意の入力を促す画面を表示する表示部と、入力装置から入力された患者のパスワードに基づき認証を行うとともに、患者のＩＤごとに、患者の診療履歴を示した行為履歴データベースに診療情報の同意の情報および患者が同意した診療行為の診療行為コードを記録する同意取得部とを備える構成とした。その他の構成については、後記する実施の形態で述べる。
【発明の効果】
【００１０】
本発明によれば、診療行為の内容、説明情報および診療行為に対応する実際の診療点数を患者に開示して説明することが可能となり、さらに代替診療行為の内容および診療点数との比較が可能となる。これにより患者自身が納得して診療行為を受けることが可能となり、自分の考えで診療行為を選択することが可能となる。また、本システムは、患者が選択した診療行為に対して患者自身の同意を記録する機能を備えているので、これを証拠として残すことで後日のトラブルを回避できる。
【発明を実施するための最良の形態】
【００１１】
以下、本発明の実施の形態について、図面を参照して詳細に説明する。
【００１２】
図１は、本実施の形態の診療支援システムの構成を示すブロック図である。本システムは、診療支援装置１００と、データベース４００と、医事会計システム５００と、これらを接続するネットワーク７００とを含んで構成される。
【００１３】
（診療支援装置）
診療支援装置１００は、コンピュータにより実現され、記憶部であるメモリ１１０と、各種演算処理を行うＣＰＵ（Central Processing Unit）１２０と、入出力インタフェース１３０と、ネットワーク７００との通信インタフェースであるネットワークインタフェース１４０とを備える。
【００１４】
診療支援装置１００には、ユーザ（医師および患者）が各種情報の入力するための入力装置３００と、診療支援装置１００の演算結果を表示するための表示装置２００とが接続される。
【００１５】
この入力装置３００は、マウスやキーボード等により実現される。入力装置３００から入力された情報は、入出力インタフェース１３０経由で、ＣＰＵ１２０へ出力される。表示装置２００は、液晶モニタ等により実現される。ＣＰＵ１２０から出力されたデータは、入出力インタフェース１３０経由で、表示装置２００へ出力される。
【００１６】
メモリ１１０には、診療行為検索モジュール１１１、診療点数検索モジュール１１２、説明検索モジュール１１３、履歴検索モジュール１１５、表示モジュール１１４および同意取得モジュール１１６を備える診療支援プログラム１１７が格納される。ＣＰＵ１２０は、入出力インタフェース１３０経由で情報が入力されると、メモリ１１０に格納された診療支援プログラム１１７に基づき、各種演算処理を行う。
【００１７】
例えば、ＣＰＵ１２０は、データベース（記憶装置）４００から、診療行為を検索したり、その診療行為の説明を検索したり、また医事会計システム５００から診療行為の点数（診療にかかる費用）を検索したりして、表示装置２００へ出力する。そして、表示装置２００に出力された診療行為の内容に対して、患者から同意が得られたとき（入力装置３００から同意の入力がされたとき）、その旨をデータベース４００に記録する。
【００１８】
（データベース）
データベース４００には、診療行為ＤＢ（データベース）４０７、患者ＤＢ（データベース）４０８、行為履歴ＤＢ（データベース）４０９および薬品ＤＢ（データベース）４１０を備える。このデータベース４００は、ハードディスク等の記憶装置により実現され、ネットワーク７００経由で、診療支援装置１００に接続される。図２は、図１のデータベースに格納される情報を例示した図である。図２を用いて、各ＤＢに格納される情報を説明する。
【００１９】
診療行為ＤＢ（データベース）４０７は、診療行為ごとにその診療行為の内容を示す診療行為マスタを格納する。この診療行為マスタは、診療行為名称と、この診療行為の内容と、診療行為に対する説明情報と、診療行為に対する代替診療行為に関する情報を含んで構成される。
【００２０】
例えば、図２（ａ）に示すように、診療行為マスタは、診療行為コードを示す「行為コード」と、診療行為の分類である「行為分類」と、診療行為の名称を示す「行為名称」と、診療行為の内容を示す「行為内容」とを含む。さらに、これらの情報の詳細事項として、診療行為の代替診療行為に関する情報を示す「行為関連」と、診療行為の説明を示す「行為説明」とを含む。
【００２１】
図２（ａ）の診療行為マスタは、行為コード「１０００１」の診療行為は「Ｈ（検査）」という分類であり、「単純Ｘ−Ｐ」という名称であることを示す。そして、この診療行為の内容は「レントゲン検査。該当部位の異常（骨折・炎症等）の有無を確認する」であり、この診療行為は「同効検査なし（代替診療行為なし）」であり、この診療行為に関する「画像情報」があることを示している。ここでの画像情報とは、例えばレントゲン写真のサンプル画像データ等である。画像情報は、診療行為マスタの中に、直接組み込むようにしてもよいし、診療行為マスタの中には画像情報の格納されるディレクトリを書き込んでおき、画像情報は別のディレクトリ（記憶装置）に格納するようにしてもよい。
【００２２】
患者ＤＢ（データベース）４０８は、患者ごとに、その患者の病名等、患者の個人情報を示す患者マスタを格納する。例えば、図２（ｂ）に示すように、患者マスタは、患者の識別情報である「患者ＩＤ」と、患者のパスワードである「患者パスワード」と、「患者氏名」と、患者の病名等の「患者属性」とに関する項目から構成される。図２（ｂ）の患者マスタは、患者ＩＤ「００−００００−０１」の患者のパスワードは「ｐａｓｓｗｏｒｄ」であり、患者氏名は「日立太郎」であり、患者属性１（病名）は「感冒」であり、患者属性２（感染症）は「ＨＣＢ」であることを示している。
【００２３】
行為履歴ＤＢ（データベース）４０９は、患者の患者ＩＤごとに、その患者の診療履歴（行為履歴マスタ）を格納する。行為履歴マスタは、例えば、図２（ｃ）に示すように、患者の識別情報である「患者ＩＤ」と、履歴の識別情報である「履歴ＩＤ」と、その診療履歴の分類を示す「履歴分類」と、その診療行為について患者の同意を取った日付を示す「同意日付」と、その診療行為が行われた日付である「診療日付」と、その診療行為の内容を示す「履歴内容」とに関する項目から構成される。図２（ｃ）の行為履歴マスタは、患者ＩＤ「００−００００−０１」、履歴ＩＤ「０００００１」の診療履歴であり、「２００４１０１０（２０００年１０月１０日）」に診療行為「Ｈ（検査）」の同意を取り、同じ日である「２００４１０１０（２０００年１０月１０日）」に「Ｈ（検査）」を行い、その検査コード（診療行為コード）は「１０００１」であり、患者の病名は「感冒」であることを示している。なお、請求項における同意の情報とは、例えば、前記した同意日付に相当する。
【００２４】
薬品ＤＢ（データベース）４１０は、薬品ごとに、その薬品の内容を示す薬品マスタを格納する。薬品マスタは、例えば、図２（ｄ）に示すように、「薬品コード」と、「薬品名称」と、「薬品内容１」と、「薬品内容２」という項目から構成される。図２（ｄ）の薬品マスタは、薬品コード「０００１」の薬品の名称は「ＰＬ顆粒」であり、この薬品は「一般的な感冒薬。解熱作用、鎮痛作用」であり、「画像情報」があることを示している。
【００２５】
ちなみに、このデータベース４００は、診療支援装置１００の外部に接続される記憶装置に格納されるものとして説明したが、診療支援装置１００の内部の記憶装置に格納するようにしてももちろんよい。
【００２６】
次に、診療支援プログラム１１７を構成するモジュールについて説明する。
【００２７】
診療行為検索モジュール１１１は、診療行為コード（行為コード）をキーとして、診療行為ＤＢ４０７から診療行為マスタを検索し、この診療行為マスタから診療行為名称と診療行為内容とを取得するモジュールである。また、診療行為コード（行為コード）をキーとして薬品名や薬品情報を併せて検索するようにしてもよい。なお、請求項における診療行為検索部は、ＣＰＵ１２０が、診療行為検索モジュール１１１に基づく演算処理を行うことで実現される。
【００２８】
診療点数検索モジュール１１２は、医事会計システム５００から、診療行為の診療点数を検索するモジュールである。具体的には、診療点数検索モジュール１１２は、診療行為名称または診療行為内容を医事会計システム５００に出力し、この診療行為の点数を問い合わせる。そして、医事会計システム５００から診療行為の点数を取得すると、この点数を表示モジュール１１４により表示させる。なお、請求項における診療点数検索部は、ＣＰＵ１２０が、診療点数検索モジュール１１２に基づく演算処理を行うことで実現される。
【００２９】
説明検索モジュール１１３は、診療行為名称または診療行為内容をキーとして、診療行為ＤＢ４０７から、この診療行為または診療行為内容を含む診療行為マスタを検索し、この診療行為マスタに含まれる詳細事項を取得するモジュールである。ここでの詳細事項とは、例えば、図２（ａ）の診療行為マスタに含まれる、「行為関連（代替診療行為名称）」、「行為説明１」等である。なお、請求項の代替診療行為検索部は、ＣＰＵ１２０が、説明検索モジュール１１３に基づく演算処理を行うことで実現される。
【００３０】
履歴検索モジュール１１５は、患者ＩＤ等をキーとして、患者ＤＢ４０８および行為履歴ＤＢ４０９から患者の診療履歴を検索するモジュールである。ここで、検索された診療履歴は、表示モジュール１１４により、表示装置２００に表示される。なお、請求項の履歴検索部は、ＣＰＵ１２０が、履歴検索モジュール１１５に基づく演算処理を行うことで実現される。
【００３１】
表示モジュール１１４は、これら検索結果に基づいて患者説明に用いる画面（患者説明画面）を作成し、この画面を表示装置２００に表示させるモジュールである。なお、請求項の表示部は、ＣＰＵ１２０が、表示モジュール１１４に基づく演算処理を行うことで実現される。
【００３２】
同意取得モジュール１１６は、入力装置３００から入力された患者ＩＤおよび患者パスワードを受けて、これらの情報を患者ＤＢ４０８と照合して認証する。また、入力装置３００から診療行為について同意した旨の入力を受けたとき、この診療行為名称、診療行為内容および同意した日付等を患者ＤＢ４０８の患者マスタおよび行為履歴ＤＢ４０９の行為履歴マスタに登録する。
なお、請求項の同意取得部は、ＣＰＵ１２０が、同意取得モジュール１１６に基づく演算処理を行うことで実現される。
【００３３】
これらのモジュール（プログラム）に基づくＣＰＵ１２０の動作の詳細は、フローチャートおよび表示画面例を用いて後記する。
【００３４】
（医事会計システム）
医事会計システム５００は、会計プログラム５０１と、点数ＤＢ（データベース）５０２とを備える。会計プログラム５０１は、診療行為名称または診療行為内容の入力を受けると、この情報をキーとして、点数ＤＢ５０２からこの診療行為の点数表マスタを検索する。図３は、図１の点数ＤＢの点数表マスタを例示した図である。この点数表マスタは、図３に示すように、診療行為名称と、この診療行為のコード（点数表コード）と、この診療行為の点数（診療費用）とを示したものである。例えば、図３の点数表マスタは、点数表コード「００１０００１」の「点滴」という診療行為の点数は「１００（点）」であることを示している。
【００３５】
なお、この点数ＤＢ５０２は、データベース４００で格納し、診療点数検索モジュール１１２が、診療行為名称、診療行為内容または診療行為コードをキーとして、この診療行為の点数を検索するようにしてもよい。
【００３６】
ちなみに、この医事会計システム５００は、診療支援装置１００の外部にあるものとして説明したが、診療支援装置１００の内部に格納するようにしてもよい。
【００３７】
次に、適宜図１〜図３を参照しつつ、図４〜図６を用いて、本実施の形態の診療支援システムの動作を説明する。図４は、図１の診療支援システムの動作を示すフローチャートであり、図５は、図１の診療支援プログラムにより表示装置に表示される患者説明画面を例示した図であり、図６は、診療支援プログラムにより表示装置に表示される診療行為決定画面を例示した図である。
【００３８】
ここでは、既に医師等のキーボード等の操作により、診療支援プログラム１１７が起動され、表示モジュール１１４により、表示装置２００に図６に例示する診療行為決定画面を表示させているものとする。
【００３９】
まず、ユーザ（医師等）はキーボード等の入力装置３００を用いて、図６の診療行為入力欄１５０１に診療行為コードを入力する。これを受けて診療行為検索モジュール１１１は、入力された診療行為コードをキーとして診療行為ＤＢ４０７から、この診療行為の診療行為マスタを検索する。そして、この診療行為マスタから診療行為名称および診療行為内容（診療行為情報）を取得する（ステップＳ２００）。つまり、診療行為マスタから診療行為名称および診療行為内容を読み出し、診療行為検索モジュール１１１は、この診療行為名称と診療行為内容とをいったんメモリ１１０に記録する。また、表示モジュール１１４は、この診療行為名称と診療行為内容とを図６の診療行為表示欄１５１４に表示する。
【００４０】
なお、医師または患者が、さらに診療行為表示欄１５１４に診療行為（候補となる診療行為）を追加登録したいときは、再度、診療行為入力欄１５１５に診療行為コードを入力する。そして、同様の手順により、診療行為検索モジュール１１１の検索結果である診療行為名称と診療行為内容をいったんメモリ１１０に記録し、表示モジュール１１４が診療行為名称と診療行為内容とを診療行為表示欄１５１４に表示する。ここでは「診療行為Ａ」、「診療行為Ｂ」および「診療行為Ｃ」が今回行う予定の診療行為であることを示している。
【００４１】
ちなみに、診療行為決定画面には、診療行為表示欄１５１４から所定の診療行為を削除するための削除ボタンをさらに設けるようにしてもよい。つまり、マウス等からこの削除ボタンの選択入力を受け付けたとき、同意取得モジュール１１６がメモリ１１０からこの診療行為の情報を削除し、診療行為表示欄１５１４にこの診療行為を表示しないようにしてもよい。
【００４２】
ここでユーザ（患者）が、診療行為表示欄１５１４に表示された診療行為に同意するときには、入力装置３００（マウス等）で、同意ボタン１５０２をクリック→パスワード入力欄１５１０へのパスワード入力→ＯＫボタン１５１２のクリック→診療行為決定ボタン１５０８のクリックという操作を行う。そして、これを受けて、同意取得モジュール１１６は、メモリ１１０に記憶されていた診療行為（つまり同意した診療行為名称、診療行為内容、診療行為コード等）、患者ＩＤ等、この診療行為に同意した日付を行為履歴マスタとして行為履歴ＤＢ４０９に登録する。このときの手順の詳細は、図７のフローチャートを用いて後記する。
【００４３】
なお、図６の診療行為決定ボタン１５０８は、患者パスワードの入力後、認証がＯＫだったときに、マウスのクリック操作を受け付けるようにする。つまり、同意取得モジュール１１６は、患者パスワードによる認証ができない段階では、表示モジュール１１４に診療行為決定ボタン１５０８を表示させないよういし、患者パスワードによる認証ができた段階で診療行為決定ボタン１５０８を表示させるようにする（アクティブな状態にする）。
【００４４】
ここで、ユーザ（患者等）に診療行為表示欄１５１４に表示された診療行為の詳細な内容を確認させるときには、診療支援装置１００は以下の処理を実行する。
【００４５】
まず、ユーザ（医師等）が図６の診療行為表示欄１５１４の診療行為名等をクリックする。これを受けて表示モジュール１１４が、この診療行為の診療行為マスタの内容を加工した情報（診療行為マスタの概要情報等）を診療行為説明欄１５０１に表示する。そして、この診療行為説明欄１５０１をマウス等でクリックすると（ステップＳ２０１）、これを受けて診療点数検索モジュール１１２がメモリ１１０から診療行為名称または診療行為内容を読み出し、これらの情報を医事会計システム５００に出力する。
【００４６】
そして、医事会計システム５００に、この診療行為に関する点数を取得できるか否かを確認する（ステップＳ２０２）。医事会計システム５００の会計プログラム５０１は、ネットワーク７００経由で前記した診療行為名称または診療行為内容を受け取ると、この情報をキーとして、点数ＤＢ５０２を検索して、この診療行為に関する点数を検索する。
【００４７】
会計プログラム５０１が点数ＤＢ５０２に当該診療行為（または診療行為内容）に関する点数情報があると判断したとき（ステップＳ２０３のＹＥＳ）、点数ＤＢ５０２の点数表マスタを参照して当該診療行為に関する点数を算出し、算出した点数をネットワーク７００経由で診療支援装置１００の診療点数検索モジュール１１２に返す。そして、診療点数検索モジュール１１２は、受け取った当該診療行為の点数をいったんメモリ１１０に記録する（ステップＳ２０４）。
【００４８】
一方、会計プログラム５０１が前記した診療行為または診療行為内容に関する情報（診療行為の点数）が点数ＤＢ５０２にないと判断したとき（ステップＳ２０３のＮＯ）、その旨を診療点数検索モジュール１１２に返す。そして、この診療点数検索モジュール１１２は、表示モジュール１１４に、点数ＤＢ５０２に当該診療行為の点数情報がない旨を表示装置２００の画面上に表示させ、ステップＳ２０５へ進む。
【００４９】
次に、説明検索モジュール１１３は、メモリ１１０に記録された診療行為名称または診療行為内容を読み出し、この情報をキーとして、診療行為ＤＢ４０７を検索する（ステップＳ２０５）。つまり、診療行為ＤＢ４０７から、この診療行為名称または診療行為内容を含む診療行為マスタを検索する。そして、説明検索モジュール１１３は、検索した診療行為マスタに説明情報が設定されているか確認し（ステップＳ２０６）、説明情報が設定されている場合は（ステップＳ２０６のＹＥＳ）、診療行為マスタからこの診療行為の説明情報を取得し（ステップＳ２０７）、この説明情報をいったんメモリ１１０に記録する。
【００５０】
一方、診療行為マスタに説明情報が設定されていない場合は（ステップＳ２０６のＮＯ）、その旨のメッセージを画面表示して、ステップＳ２０８へ進む。
【００５１】
さらに、説明検索モジュール１１３は、ステップＳ２０５で検索したマスタ（診療行為マスタ）に代替診療行為が設定されているか否かを確認し（ステップＳ２０８）、代替診療行為が設定されている場合は（ステップＳ２０８のＹＥＳ）、この診療行為マスタから同効薬や同効検査等の代替行為情報を取得し（ステップＳ２０９）、この情報もいったんメモリ１１０に記録する。つまり、図２（ａ）に例示した診療行為マスタの「行為関連」に代替診療行為名称等が書かれていれば、その診療行為名称を読み出し、メモリ１１０に記録しておく。
【００５２】
一方、診療行為マスタに代替診療行為が設定されていない場合は（ステップＳ２０８のＮＯ）、ステップＳ２１０へ進む。
【００５３】
次に、表示モジュール１１４により、診療行為名称と診療行為内容、あれば診療点数、同じくあれば説明情報、同じくあれば代替診療行為情報をメモリ１１０から読み出す。そして、これらの情報（診療情報）を所定の画面フォーマットに組み込んだ患者説明画面を作成し、表示装置２００に表示する（ステップＳ２１０）。また、診療行為マスタに診療行為に関する画像情報（画像イメージ）が含まれていたときには、この画像イメージを組み込むようにしてもよい。
【００５４】
例えば、この患者説明画面は、図５に示すように、診療行為名称および診療行為内容を表示する領域１４００と、この診療行為に関する説明情報を表示する領域１４０２と、この診療行為の診療点数を表示する領域１４０６と、同効薬や同効検査等の代替診療行為に関する情報を表示する領域１４０８と、診療行為に関する画像イメージを表示する領域１４０４と、クリック操作を受けて画面を診療行為決定画面（図６）に切り替える領域１４１１とを含んで構成される。
【００５５】
図５の患者説明画面は、診療行為名称および内容が「単純Ｘ−Ｐ」の「胸部」であり、この診療行為は「レントゲン検査。胸部の異常（骨折・炎症等）の有無を確認する」であり、画像イメージとして「レントゲン写真サンプル」が組み込まれ、診療点数が「３５６０点」であり、代替診療行為（同効（薬・検査））は「特になし（診療点数なし）」であるとことを示している。
【００５６】
表示モジュール１１４がこのような患者説明画面を表示した後、診療支援装置１００が患者説明画面情報を印刷装置（図示せず）へ出力、印刷し（ステップＳ２１１）、患者への説明資料としてもよい。
【００５７】
なお、この患者説明画面には、患者受けた診療行為の履歴（診療履歴）を表示する欄を設けてもよい（図５の領域１４１０参照）。
すなわち、図示しないＩＤ入力画面で、入力装置３００から患者のＩＤの入力がされると、この患者のＩＤをキーとして、履歴検索モジュール１１５が、この患者ＤＢ４０８および行為履歴ＤＢ４０９からこの患者の患者マスタおよび行為履歴マスタを検索する。そして、表示モジュール１１４がこれらの情報を組み込んだ患者説明画面を作成する。
【００５８】
例えば、図５の領域１４１０は、患者は、２００３／１０／２５に肺炎の疑いがあるとの診断がされ、胸部に単純Ｘ−Ｐという診療行為を行ったことを示している。また、２００３／１０／２６に肺炎と診断され、点滴で抗生剤を投与したことを示している。さらに、表示モジュール１１４は、検索された診療履歴のうち、ステップＳ２００で検索された診療行為名称または診療行為内容（領域１４００参照）と同じ内容が書かれた情報に「＊」等、所定のマークを表示するようにしてもよい。このようにすることで、診療支援装置１００の利用者は、過去に同じ診療行為を受けた日にち、そのときの病名等を確認しやすくなる。
【００５９】
なお、患者または医師が、図５の領域１４０８の代替診療行為または領域１４１０の診療履歴に示された診療行為を図６の診療行為表示欄１５１４に置き換えて登録（入力）したいときは、これらの診療行為が示される領域（領域１４０８や領域１４１０）をクリックしてから、領域１４１１をクリックする。すると、表示モジュール１１４は、これらの診療行為（診療行為名称、診療行為内容、診療行為コード等）をメモリ１１０に記録し、図６の診療行為表示欄１５１４に、図５の領域１４０８に表示されていた代替診療行為や、領域１４１０に表示されていた診療行為を書き込んだ画面を表示させる。
【００６０】
このようにすることで、患者や医師は、診療行為に関連する診療行為（過去の診療行為や代替診療行為等）について、診療行為の対象として選択しやすくなる。
【００６１】
なお、この診療行為表示欄１５１４に過去の診療行為や代替診療行為が登録された場合も、診療支援装置１００は、前記したステップＳ２００〜ステップＳ２１０と同様の手順によって、これらの診療行為の患者説明画面を表示させることができる。
【００６２】
例えば、この診療行為表示欄１５１４に代替診療行為が登録された場合、診療点数検索モジュール１１２が代替診療行為の診療行為名称または代替診療行為内容をキーとして、医事会計システム５００から、代替診療行為の点数を取得する。そして、表示モジュール１１４が代替診療行為名称および代替診療行為内容と、代替診療行為の点数をさらに含む患者説明画面を表示装置２００に表示するようにする。また、過去の診療行為についても同様の処理を実行して、患者説明画面を表示装置２００に表示する。
【００６３】
このようにすることで、医師等は、診療行為の内容、説明情報および診療行為に対応する実際の診療点数を患者に開示して説明することが可能となり、患者は代替診療行為の内容および診療点数との比較が可能となる。
【００６４】
図７は、図１の表示装置に表示した診療行為について、患者同意を取得する手順を示すフローチャートである。適宜図１〜図６を参照しつつ、図７を用いて患者同意を取得する手順を説明する。
【００６５】
診療支援装置１００の表示モジュール１１４は、表示装置２００に、診療行為が表示された診療行為決定画面表示する（ステップＳ３０１）。そして、患者が図６の診療行為表示欄１５１４に表示された診療行為を受けることを同意したとき、患者は、マウス等で同意ボタン１５０２をクリックする。これを受けて、同意取得モジュール１１６は、パスワード入力欄１５１０からの患者のパスワードの入力を受け付けるようにする。そして、患者は、パスワード入力欄１５１０にパスワードを入力する（ステップＳ３０２）。続いて、マウス等で画面上のパスワードＯＫボタン１５１２がクリックされると、同意取得モジュール１１６はパスワード入力欄１５１０入力された患者のＩＤおよびパスワードと、患者ＤＢ４０８とを参照し（ステップＳ３０３）、入力された患者のパスワードと患者ＤＢ４０８上のパスワードとが一致するか否かを判断する（ステップＳ３０４）。ここで、パスワードが一致した場合（ステップＳ３０４のＹＥＳ）、同意取得モジュール１１６は、画面上の診療行為入力欄１５１４への追加入力ができないようにし（ステップＳ３０５）、表示モジュール１１４により、初期状態では画面上で隠れていた表示する。つまり、診療行為決定ボタン１５０８をアクティブな状態にし（ステップＳ３０６）、ステップＳ３０７へ進む。
【００６６】
一方、入力された患者のパスワードと患者ＤＢ上のパスワードとが一致しない場合は（ステップＳ３０４のＮＯ）、同意取得モジュール１１６は表示モジュール１１４により画面上にエラーメッセージを表示させ（ステップＳ３０９）、ステップＳ３０２へ戻り、再度パスワードが入力されるのを待つ。
【００６７】
同意取得モジュール１１１がこのようなパスワード認証をすることで、診療支援装置１００は患者本人からの同意入力のみ受け付けるようにすることができる。つまり、診療支援装置１００は、確かに患者本人の同意を得た診療行為を行為履歴マスタや患者マスタに登録することができる。
【００６８】
ステップＳ３０７において診療行為決定ボタン５０８がクリックされると、同意取得モジュール１１６は診療行為を決定する（ステップＳ３０８）。つまり、同意取得モジュール１１６が、メモリ１１０に記憶され、診療行為表示欄１５１４に表示されている診療行為の名称、診療行為内容、診療行為コード、患者のＩＤ、同意をした日付等を読み出し、これらの情報をこの患者の履歴マスタとして行為履歴ＤＢ４０９に登録する。
【００６９】
このようにすることで、診療支援装置１００は、確かに患者本人の同意を得た診療行為をその患者への診療履歴として記録することができる。
【００７０】
この後、行為履歴ＤＢ４０９に登録された行為履歴マスタは、入力装置３００からの指示入力によって、表示装置２００や外部の記憶装置に出力することができる。つまり、医師等は、診療後、患者が確かにその診療行為に同意したことを確認することができる。
【００７１】
また、本実施の形態の診療支援装置１００は、患者の診療履歴（行為履歴ＤＢ４０９）を備え、過去の診療行為名および過去診療内容も画面上で閲覧可能になる。したがって、患者が提示された診療行為を判断する材料が増え、患者は満足度の高い診療行為を受けることが可能となる。
【００７２】
本実施の形態の診療支援装置１００は、前記したような処理を実行させる診療支援プログラム１１７によって実現することができ、そのプログラムをコンピュータによる読み取り可能な記憶媒体（ＣＤ−ＲＯＭ等）に記憶して提供することが可能である。また、そのプログラムを、ネットワークを通して提供することも可能である。
【図面の簡単な説明】
【００７３】
【図１】本実施の形態の診療支援システムの構成を示すブロック図である。
【図２】図１のデータベースに格納される情報を例示した図である。
【図３】図１の点数ＤＢの点数表マスタを例示した図である。
【図４】図１の診療支援システムの動作を示すフローチャートである。
【図５】図１の診療支援プログラムにより表示装置に表示される患者説明画面を例示した図である。
【図６】図１の診療支援プログラムにより表示装置に表示される診療行為決定画面を例示した図である。
【図７】図１の表示装置に表示した診療行為について、患者同意を取得する手順を示すフローチャートである。
【符号の説明】
【００７４】
１００  診療支援装置（コンピュータ）
１１１  診療行為検索モジュール（診療行為検索部）
１１２  診療点数検索モジュール（診療点数検索部）
１１３  説明検索モジュール（代替診療行為検索部）
１１４  表示モジュール（表示部）
１１５  履歴検索モジュール（履歴検索部）
１１６  同意取得モジュール（同意取得部）
１１７  診療支援プログラム
２００  表示装置
３００  入力装置
４０７  診療行為ＤＢ
４０８  患者ＤＢ
４０９  行為履歴ＤＢ
４１０  薬品ＤＢ
５０２  点数ＤＢ
【図１】
2006221302.tif 000003
【図２】
2006221302.tif 000004
【図３】
2006221302.tif 000005
【図４】
2006221302.tif 000006
【図５】
2006221302.tif 000007
【図６】
2006221302.tif 000008
【図７】
2006221302.tif 000009